(57)【要約】      （修正有）【課題】椅子の制御パネルが誤ってタッチされやすい問題を改善するスピーカー付き椅子を提供する。【解決手段】背もたれ１と座シート２とを備えるスピーカー付き椅子であって、オーディオ再生装置３をさらに備え、オーディオ再生装置３は、スピーカー３１と、導電線３２と、ブルートゥース（登録商標）モジュール３３とを備え、ブルートゥースモジュール３３は、導電線３２を介してスピーカー３１と電気的に接続され、スピーカー３１は背もたれ１の背面に固定的に接続され、背もたれ１には、ブルートゥースモジュール３３を通過させることができるスルーホール１２が開設されている背もたれ１の両側には、肩もたれ１１がそれぞれ固定的に接続され、スピーカー３１は肩もたれ１１上に固定的に接続され、肩もたれ１１は背もたれ１の上部に位置し、ブルートゥースモジュール３３には前記スピーカー３１の再生を制御する制御パネルが設けられる。【選択図】図２
0003220009.tif 000002
【実用新案登録請求の範囲】
【請求項１】
背もたれ（１）と座シート（２）とを備えるスピーカー付き椅子であって、オーディオ再生装置（３）をさらに備え、前記オーディオ再生装置（３）は、スピーカー（３１）と、導電線（３２）と、ブルートゥース（登録商標）モジュール（３３）とを備え、前記ブルートゥース（登録商標）モジュール（３３）は、前記導電線（３２）を介して前記スピーカー（３１）と電気的に接続され、前記スピーカー（３１）は前記背もたれ（１）の背面に固定的に接続され、前記背もたれ（１）には、前記ブルートゥース（登録商標）モジュール（３３）を通過させることができるスルーホール（１２）が開設されていることを特徴とするスピーカー付き椅子。
【請求項２】
前記背もたれ（１）の両側には、肩もたれ（１１）がそれぞれ固定的に接続され、前記スピーカー（３１）は前記肩もたれ（１１）上に固定的に接続され、前記肩もたれ（１１）は背もたれ（１）の上部に位置し、前記ブルートゥース（登録商標）モジュール（３３）には前記スピーカー（３１）の再生を制御するための制御パネルが設けられることを特徴とする請求項１に記載のスピーカー付き椅子。
【請求項３】
前記スピーカー（３１）は、１対を有し、前記背もたれ（１）の両側にそれぞれ位置していることを特徴とする請求項１に記載のスピーカー付き椅子。
【請求項４】
前記背もたれ（１）の背面に収納袋（１３）が固定的に接続されることを特徴とする請求項１に記載のスピーカー付き椅子。
【請求項５】
前記スルーホール（１２）は、前記収納袋（１３）の内側に位置していることを特徴とする請求項４に記載のスピーカー付き椅子。
【請求項６】
前記背もたれ（１）は、前記座シート（２）と垂直し回転可能に接続されることを特徴とする請求項１に記載のスピーカー付き椅子。
【請求項７】
前記座シート（２）の下面には、支持フレーム（４）が水平回転可能に接続されることを特徴とする請求項１に記載のスピーカー付き椅子。
【請求項８】
前記支持フレーム（４）の前記座シート（２）から離れた一面にはキャスター（４１）が接続され、前記背もたれ（１）の上部には１対の通音開口（１７）が開設され、椅子は、前記背もたれ（１）の前方に位置して前記通音開口（１７）をカバーするネックピロー（１４）をさらに備え、前記ネックピロー（１４）には紐（１５）が固定的に接続され、前記紐（１５）は２つの前記通音開口（１７）を順に通り抜け、前記ネックピロー（１４）は前記紐（１５）を介して前記背もたれ（１）に結び繋いで固定され、前記紐（１５）にはバックル（１６）が設けられ、前記バックル（１６）は、前記バックル（１６）の着脱可能な挿入固定によって前記ネックピロー（１４）と前記紐（１５）とが閉ループ構造を形成するようにすることを特徴とする請求項7に記載のスピーカー付き椅子。
【考案の詳細な説明】
【技術分野】
【０００１】
本考案は、家具の技術分野に関し、具体的に、スピーカー付き椅子に関する。
【背景技術】
【０００２】
一般に、現代の若者は、コンピューターによる仕事や娯楽の時間が長くなり、コンピューターの使用過程で定期的に休憩しストレスを解消する必要がある。音楽は人々をリラックスすることができ、幾つかの音楽再生機能を有する椅子も市販されている。その肘掛けには音楽の再生を制御するための制御パネルが固定的に実装されているが、椅子に座って休憩する時、手を肘掛け上に乗せることが一般的であり、手に押圧されて制御パネルが誤ってタッチされやすいことがある。
【考案の概要】
【考案が解決しようとする課題】
【０００３】
本考案の実施例は、従来の椅子の制御パネルが誤ってタッチされやすいという問題を改善するためのスピーカー付き椅子を提供することを目的とする。
【課題を解決するための手段】
【０００４】
本考案の実施例は、上記した目的を達成するために、次のような技術案とする。
【０００５】
背もたれと座シートとを備えるスピーカー付き椅子は、オーディオ再生装置をさらに備え、オーディオ再生装置は、スピーカーと、導電線と、ブルートゥース（登録商標）モジュールとを備え、ブルートゥース（登録商標）モジュールは、導電線を介してスピーカーと電気的に接続され、スピーカーは、背もたれの背面に固定的に接続され、背もたれには、ブルートゥース（登録商標）モジュールを通過させることができるスルーホールが開設されている。
【０００６】
本考案の実施例は、さらに、前記背もたれの両側には肩もたれがそれぞれ固定的に接続され、前記スピーカーは肩もたれ上に固定的に接続され、肩もたれは、背もたれの上部に位置し、前記ブルートゥース（登録商標）モジュールには、スピーカーの再生を制御するための制御パネルが設けられるように構成される。
【０００７】
本考案の実施例は、さらに、前記スピーカーは、１対を有し、背もたれの両側にそれぞれ位置するように構成される。
【０００８】
本考案の実施例は、さらに、前記背もたれの背面には、収納袋が固定的に接続されるように構成される。
【０００９】
本考案の実施例は、さらに、前記スルーホールは、前記収納袋の内側に位置するように構成される。
【００１０】
本考案の実施例は、さらに、前記背もたれは、前記座シートと垂直し回転可能に接続されるように構成される。
【００１１】
本考案の実施例は、さらに、前記座シートの下面には、支持フレームが水平回転可能に接続されるように構成される。
【００１２】
本考案の実施例は、さらに、前記支持フレームの前記座シートから離れた一面にキャスターが接続され、前記背もたれの上部には１対の通音開口が開設され、椅子は、背もたれの前方に位置して通音開口をカバーするネックピローをさらに備え、ネックピローには紐が固定的に接続され、紐は２つの通音開口を順に通り抜け、ネックピローは紐を介して背もたれに結び繋いで固定され、紐にはバックルが設けられ、バックルは、バックルの着脱可能な挿入固定によってネックピローと紐とが閉ループ構造を形成するようにする。
【考案の効果】
【００１３】
本考案の実施例は、次のような利点がある。
１．ブルートゥース（登録商標）モジュールは、携帯電話又はコンピューターと無線接続を確立することができ、携帯電話又はコンピューターでスピーカーに対する再生制御を実現でき、休憩過程で誤ってタッチされることを回避できる。
【００１４】
２．ブルートゥース（登録商標）モジュールには制御パネルが設けられ、手動制御可能な制御パネルを制御することでスピーカーの再生を制御し、制御パネルを使用する必要がない場合、ブルートゥース（登録商標）モジュールをスルーホールから背もたれの背面まで通過させ、導電線及びブルートゥース（登録商標）モジュールを収納袋内に収納することができ、携帯電話も収納袋へ入れて、心身をリラックスするように休憩しやすい。
【００１５】
３．人が椅子に座る時に、通音開口は人の肩の箇所に位置するようになり、背もたれの背面のスピーカーから発したオーディオは通音開口から人の耳に伝えることができる。
【００１６】
４．ネックピローは、人の首を支えるためにも用いられ、人のもたれかかる休憩姿勢を安定にすることができる。
【００１７】
５．背もたれにスルーホールが開設され、ブルートゥース（登録商標）モジュールはスルーホールを通過することができ、ブルートゥース（登録商標）モジュールを使用する必要がない場合、ブルートゥース（登録商標）モジュールと導電線を収納袋内に収納し、休憩過程にブルートゥース（登録商標）モジュールが押されて誤動作することを防止し、ブルートゥース（登録商標）モジュールを使用する必要がある場合、ブルートゥース（登録商標）モジュールをスルーホールから背もたれの前方まで通過させ、操作が容易である。
【図面の簡単な説明】
【００１８】
【図１】本考案の実施例における座シートと背もたれの接続構造を示す模式図である。
【図２】本考案の実施例におけるオーディオ再生装置の構造を示す模式図である。
【考案を実施するための形態】
【００１９】
以下の実施例は本考案を説明するためのものであり、本考案の範囲を制限するためのものではない。
【実施例】
【００２０】
図１及び図２を合せて参照すると、背もたれ１と座シート２とを備えるスピーカー付き椅子は、さらに、オーディオ再生装置３を備え、オーディオ再生装置３は、スピーカー３１と、導電線３２と、ブルートゥース（登録商標）モジュール３３とを備え、ブルートゥース（登録商標）モジュール３３は、導電線３２を介してスピーカー３１と電気的に接続される。ブルートゥース（登録商標）モジュール３３は、携帯電話又はコンピューター等の端末と無線接続を確立することができ、携帯電話又はコンピューターによってスピーカー３１に対する制御を実現することができ、休憩過程で誤動作されることを避けることができる。
【００２１】
スピーカー３１は、１対を有し、背もたれ１の両側にそれぞれ位置し、スピーカー３１は背もたれ１の背面に固定的に接続され、背もたれ１の両側には肩もたれ１１がそれぞれ固定的に接続され、スピーカー３１は肩もたれ１１上に固定的に接続され、肩もたれ１１は背もたれ１の上部に位置し、人が椅子に座ると、肩が肩もたれ１１に当接することになり、肩もたれ１１により人の肩を支持することができ、もたれかかる場合の快適さを向上させ、肩もたれ１１は人の耳とスピーカー３１との間に離隔され、スピーカー３１の発するオーディオの耳に対するダメージを低減することができる。
【００２２】
ブルートゥース（登録商標）モジュール３３には、スピーカー３１の再生を制御するための制御パネル（図示せず）が設けられ、制御パネルは、ブルートゥース（登録商標）モジュール３３と電気的に接続され、休憩過程においてもブルートゥース（登録商標）モジュール３３における制御パネルによってスピーカー３１を制御することができる（例えば再生、一時停止、停止、前曲、次曲、音量調節等の制御機能）。
【００２３】
背もたれ１にはスルーホール１２が開設され、ブルートゥース（登録商標）モジュール３３はスルーホール１２を通過することができ、背もたれ１の背面には収納袋１３が固定的に接続される。制御パネルを使用する必要がない場合、ブルートゥース（登録商標）モジュール３３をスルーホール１２から通過させて収納袋１３内に入れることができ、携帯電話も収納袋１３内に収納して、両手を解放し、気持ちが軽くなるように休憩できる。
【００２４】
スルーホール１２は収納袋１３の内側に位置し、収納袋１３はスルーホール１２をカバーすることができ、より美観的である。且つ、ブルートゥース（登録商標）モジュール３３は直接に収納袋１３内からスルーホール１２を通過することができ、操作がより便利になる。
【００２５】
背もたれ１の底部は、座シート２の縁と垂直し回転可能に接続されて、座シート２に対する背もたれ１の角度を調節しやすくなり、人の休憩時の腿と脊椎との間になる角度を容易に調整できる。
【００２６】
座シート２の下面には支持フレーム４が水平回転可能に接続され、座シート２を支持フレーム４に対して水平回転すると、人の向けを調整することができる。支持フレーム４の座シート２から離れた一面にはキャスター４１が接続されて、地面上で椅子を容易に移動させる。
【００２７】
背もたれ１の上部には１対の通音開口１７が開設され、人が椅子に座ると、通音開口１７は人の肩の箇所に位置するようになり、背もたれ１の背面のスピーカー３１の発したオーディオは通音開口１７から人の耳へ伝われる。音声が通音開口１７と肩もたれ１１の外側から人の耳に入り込む距離は異なり、空間的ステレオサウンドを営造する効果を有する。
【００２８】
椅子は、背もたれ１の前方に位置して通音開口１７をカバーするネックピロー１４をさらに備え、ネックピロー１４は通音開口１７を通り抜いた音声に対して離隔し濾過することができ、耳へ伝わる音声をより柔らかくする。ネックピロー１４には紐１５が固定的に接続され、紐１５は２つの通音開口１７を順に通り抜け、ネックピロー１４は紐１５を介して背もたれ１に結び繋いで固定され、紐１５にはバックル１６が設けられ、バックル１６は、バックル１６の着脱可能な挿入固定によってネックピローと紐１５とが閉ループ構造を形成するようにする。ネックピロー１４を使用する必要がない場合には、バックル１６を解いて、ネックピロー１４を取り外すことができる。
【００２９】
上記は、既に一般的な説明及び具体的な実施例により本考案について詳細に記述したが、当業者であれば、本考案に基づき、変更又は改良を行うことができることは言うまでもない。従って、本考案の精神から逸脱することなくなされたこれらの変更又は改良は、いずれも本考案の保護しようとする範囲に属するべきである。
【符号の説明】
【００３０】
１  背もたれ
１１  肩もたれ
１２  スルーホール
１３  収納袋
１４  ネックピロー
１５  紐
１６  バックル
１７  通音開口
２  座シート
３  オーディオ再生装置
３１  スピーカー
３２  導電線
３３  ブルートゥース（登録商標）モジュール
４  支持フレーム
４１  キャスター
【図１】
0003220009.tif 000003
【図２】
0003220009.tif 000004